(57)【要約】【課題】  ＡＬＣパネルを用いた建物外壁における目地補修の方法において、単純な手動操作で目地溝をきれいに再生させることが可能となり、有機酸等の各種薬品を用いることなく既存のシーリング材の残留薄層に起因する漏水と補修後の美観悪化の問題を解決し、簡単な補修作業で修復を可能にする工具と補修方法を提供する。【解決手段】  目地溝の側壁を削る切削刃と該側壁の面取部を切削する面取刃を具備しているＡＬＣパネルの切削工具を提供する。この工具を使用して１回の罫描きでＡＬＣパネルの目地溝の一部をシーリング材と塗料と共に切削除去し、新たな目地溝を再生してそこにシーリング材充填と塗料の塗布を施す。【選択図】    図１
2008095347.tif 000002
【特許請求の範囲】
【請求項１】
ＡＬＣパネル製の建物外壁の目地溝に充填されているシーリング材を切除するための工具であって、前記目地溝の側壁を削る切削刃と該側壁の面取部を切削する面取刃を具備してなることを特徴とするＡＬＣパネルの切削工具。
【請求項２】
前記切削刃は、所定の幅を保持した２枚の刃が切削工具本体の底部に傾斜して突出してなることを特徴とする請求項１に記載のＡＬＣパネルの切削工具。
【請求項３】
前記面取刃は、所定の面取角を有する刃が前記切削刃の後方に、底部に傾斜して突出してなることを特徴とする請求項１または２に記載のＡＬＣパネルの切削工具。
【請求項４】
前記切削刃及び面取刃が、共に刃の突出長さを調整可能に取り付けられてなることを特徴とする請求項１から３のいずれか１項に記載のＡＬＣパネルの切削工具。
【請求項５】
前記切削工具本体にタイヤが装着されてなることを特徴とする請求項１から４のいずれか１項に記載のＡＬＣパネルの切削工具。
【請求項６】
前記請求項１から５のいずれか１項に記載のＡＬＣパネルの切削工具を用い、目地溝に充填されているシーリング材を切除するとともに、目地溝の面取部に付着している塗料を切除したて新たな目地溝を露出させた後、目地溝に新たなシーリング材を充填し面取部を含むシーリング材に塗料を塗布することを特徴とするＡＬＣ建築物における外壁目地の補修方法。
【発明の詳細な説明】
【技術分野】
【０００１】
本発明は、ＡＬＣパネル製の建物外壁の目地材の補修方法に関し、さらに詳しくは、目地溝に充填されているシーリング材を更新する方法に関するものである。
【背景技術】
【０００２】
軽量気泡コンクリート（ＡＬＣ）は、軽量で耐火性、耐熱性及び施工性に優れているために、建材用パネルに成形されてショッピングセンター等の大型建築物から戸建住宅のような小規模建築物まで幅広く使用されている。
ビルなどの建物外壁におけるＡＬＣパネル接合部の目地溝には、シリコン又は非シリコン系シーリング材を充填して漏水防止が図られている。これらシーリング材の経年劣化に際しては、該シーリング材をカッター等で除去し、新たなシーリング材を充填する補修工事を施す必要がある。
目地部の補修方法としては、例えばメチルアルコール等の溶剤をシーリング材をカッターで除去した後の残留薄層に塗布し、拭き取って新たなシーリング材を充填する方法が知られている（例えば、特許文献１参照。）。
また、有機酸からなるシーリング材溶解液をシーリング材をカッターで除去した後の目地溝に充填し、シーリング材の残留薄層を溶解除去後に、新たなシーリング材を充填する方法も提案されている（例えば、特許文献２参照。）。
【特許文献１】特開平６−１４６６１４号公報
【特許文献２】特開平２００１−１４０３６５号公報
【発明の開示】
【発明が解決しようとする課題】
【０００３】
上述した従来例におけるシーリング材の補修にあっては、既設のシーリング材をカッター等で除去しているが、目地溝内面に除去しきれないシーリング材の薄層が残留するのを回避するのが難しく、また、外壁ＡＬＣパネル間におけるシーリング材と界面にあたる面取部に付着した塗料の除去も困難であるため、これらシーリング材の残留薄層、界面の付着塗料等が新たに充填したシーリング材との界面に介在して漏水の原因となったり、また、除去後のシーリング材新設用の加工部の形を整えることが困難なため、新設したシーリング材が美観的に問題となる可能性があった。
【０００４】
殊に既存のシーリング材がシリコン系シーリング材で、新たなシーリング材が非シリコン系シーリング材であった場合両者は親和性に欠け、シリコン系シーリング材の残留薄層と非シリコン系シーリング材との界面に接着不良を来たし、同様に漏水を招来する危険がある。
【０００５】
上記特許文献１に開示された如く、溶剤を残留薄層に塗布する方法では残留薄層を膨潤する作用は有するが、溶解する機能を有さず、拭き取っても残留薄層基層部の残留を回避することが難しく、これが新たに充填されるシーリング材との界面に介在して、接着不良（防水瑕疵）を来たす恐れを有している。
また、上記特許文献２に開示された如く、有機酸からなるシーリング材溶解材の充填を行う場合には、シーリング材の残留薄層のみならずＡＬＣパネル母材が侵食される恐れを有している。
【０００６】
本発明は上記問題を適切に解決する、ＡＬＣパネルを用いた建物外壁における目地シーリング材除去用工具と同工具を用いた目地補修方法を提供することを目的とする。
本発明は、上記のようにＡＬＣパネルを用いた建物外壁における目地溝に充填されているシーリング材及び塗料を、ＡＬＣパネルの持つ非切削性の良さを利用してパネルと共に切削除去することにより、新たな目地溝を作成した上で新たなシーリング材を充填し接着を確実にする方法を採るものである。
【課題を解決するための手段】
【０００７】
上記課題を解決するため、本発明では目地溝の側壁を削る切削刃と該側壁の面取部を切削する面取刃を具備している切削工具を使用することとした。
本発明の切削工具では、前記切削刃は所定の幅を保持した２枚の刃が切削工具本体の底部に傾斜して突出しているものを使用することができる。
また、前記面取刃は、所定の面取角を有する刃が前記切削刃の後方に、底部に傾斜して突出してなるものを使用することができる。
切削工具をこのような構成にしていけば、１回の操作で古いシーリング材の除去と塗料の剥離とを同時に行うことができる。
【０００８】
本発明の切削工具では、前記切削刃及び面取刃が共に刃の突出長さを調整可能に取り付けられてなることが好ましい。
また、前記切削工具本体にタイヤが装着されていることが好ましい。
切削工具本をこのように構成しておけばいかなる形状・大きさの目地溝のも適用させることが可能となり、楽な手動操作で目地溝をきれいに再生させることが可能となる。
【０００９】
本発明の外壁目地の補修方法は、上記の本発明の各切削工具のいずれかのＡＬＣパネルの切削工具を用い、目地溝に充填されているシーリング材を切除するとともに、目地溝の面取部に付着している塗料を切除したて新たな目地溝を露出させた後、目地溝に新たなシーリング材を充填し面取部を含むシーリング材に塗料を塗布するＡＬＣ建築物における外壁目地の補修方法とした。
この補修方法によれば、１回の操作で古いシーリング材の除去と塗料の剥離とを同時に行うことができ、シーリング材と面取部界面との接着を確実なものとして漏水の原因となる要因を排除し、補修部シーリング材の形を整え美観的にも美しい目地を得ることができる。
【発明の効果】
【００１０】
以上説明したように、本発明によればＡＬＣパネルを用いた建物外壁における目地補修の方法において、単純な手動操作で目地溝をきれいに再生させることが可能となり、有機酸等の各種薬品を用いることなく既存のシーリング材の残留薄層に起因する漏水と補修後の美観悪化の問題を有効に解消し、健全なる補修作業を簡単に実施することができる。
さらに、新たに充填するシーリング材がシリコン系であっても非シリコン系であっても新たなシーリング材の接着は良好であり、漏水を生じることのない目地補修が行える。
また、手動による装置の採用により、補修時の騒音や粉塵の飛散などを最小限に抑えることが可能である。
【発明を実施するための最良の形態】
【００１１】
以下図面に基づき、本発明の実施形態について具体的に説明する。
図１は本発明の構成を説明する外観図であって、（ａ）は正面図、（ｂ）は側面図である。
図１（ａ）に示すように、本発明の切削工具１０は切削工具本体９の底面９ａに、２枚の切削刃４ａ、４ｂが所定の幅を保って突出して取り付けられている。２枚の切削刃４ａ、４ｂの幅は、切除すべき古いシーリング材の幅よりも若干広く、ＡＬＣパネルを少し削り取る幅に設定されている。
さらに、切削工具本体９の底面９ａには、面取刃５ａ、５ｂが前記切削刃４ａ、４ｂの後方に切削刃より外側に突出して取り付けられている。面取刃５ａ，５ｂは、目地溝の面取角度に合わせて傾斜した刃先を有している。
横から見ると、図１（ｂ）に示すように切削刃４のやや後方に面取刃５が取り付けられている。
【００１２】
切削刃４ａ、４ｂの長さは目地溝の底部、すなわち古いシーリング材の深さよりも僅かに長く設定されており、そこから目地溝の面取部まで上がった位置に面取刃５ａ、５ｂの先端がくるように設定されている。
切削刃４ａ、４ｂは、ＡＬＣパネル目地溝の側壁を削るものであり、また切削刃５ａ、５ｂは外壁パネルの欠け落ち防止のために設けられている、パネル４周りの面取り加工部に付着している塗料を削るためのものであり、加工部の深さに合わせそれぞれ出入り寸法を調整できる仕組みとなっている。
切削刃４ａ、４ｂ及び面取刃５ａ、５ｂの位置関係をこのように設定することにより、古いシーリング材及び目地溝の面取の塗布された塗料を、一度操作するだけで同時に切削除去することができる。
【００１３】
本発明の切削工具１０の切削工具本体９には、タイヤ７が装着されている。タイヤ７は切削時の直進性を安定させるためのものであり、例えばゴム製などのある程度弾力を持つ素材を使用することにより、パネル表面塗装材８の凹凸にも無理なく転がるものであり、切削作業の省力化を図ることができる。
【００１４】
次に、上述の本発明の切削工具を用いた目地の補修の手順を示す。
図２（ａ）に示すように、ＡＬＣパネルを用いた建物外壁１の目地溝１１には、シーリング材２ａが充填されている。また、ＡＬＣパネルの欠け防止のために設けられているパネル４周りの面取部１２には、仕上げ塗材３ａが付着している。
【００１５】
このシーリング材２ａ及び仕上げ塗材３ａを、図１に示す構造の切削治具１０で図２（ｂ）〜図３（ｄ）に示すように、ＡＬＣパネル１の目地溝１１の一部と共に同時に切削して除去し、図３（ｅ）に示すように、目地溝１１も含めたＡＬＣパネルの新たな目地部１１’を得る。
より具体的には、図２（ｂ）に示すように、切削刃４ａ、４ｂを目地溝１１に合わせ、罫描いてシーリング材２ａの両側に切れ目を入れる。
これと同時に、図２（ｃ）に示すように、切削刃４の後方にある面取刃５ａ，５ｂで仕上げ塗材３ａを切削除去する。
最後に、図３（ｄ）に示すように、新しい面取部１２’が露出した目地溝１１に残留しているシーリング材２ａを取り除くと、図３（ｅ）に示すような、ＡＬＣパネルの新たな目地溝１１’が得られる。
【００１６】
次に、図４（ｆ）に示すように、新たなＡＬＣパネルの目地溝１１’に、新設時と同様にシラン系、合成ゴム系、エポキシ系等のプライマーを塗布した後、新たなシーリング材２ｂを充填する。新たなシーリング材２ｂは、シラン系、合成ゴム系、エポキシ系等公知の各種シーリング材を使用することができる。
新たなシーリング材２ｂ充填後、図４（ｇ）に示すように、新たなシーリング材２ｂを含む面取部１２’に新たな仕上げ塗材３ｂを塗布する。
このようにしてＡＬＣパネルを用いた建物外壁の目地を補修する。
【００１７】
次に、図５（ａ）から図７（ｇ）に、目地溝にバックアップ材を充填した例を説明する。
この例では図５（ａ）に示すように、ＡＬＣパネルを用いた建物外壁１の目地溝１１には、バックアップ材６を充填し、その上にシーリング材２ａが充填されている。また、ＡＬＣパネルの欠け防止のために設けられているパネル４周りの面取部１２には、仕上げ塗材３ａが付着している。バックアップ材６は、シーリング材２ａを目地溝と２面で接着させるための裏当ての役目をしているものであって、市販の専用材料を用いている。
目地溝の補修手順については、前述の図２（ｂ）から図４（ｇ）に示す手順と同様であるので、詳しい説明は省略する。
この場合も切削刃４の長さはシーリング材２ａの深さと同じにすればよい。
【図面の簡単な説明】
【００１８】
【図１】本発明の切削装置の構造を示す図であって、（ａ）は正面図、（ｂ）は側面図を示す。
【図２】本発明のＡＬＣ建築物における外壁目地の補修方法の手順を示す工程図である。
【図３】図２に続く補修方法の手順を示す工程図である。
【図４】図３に続く補修方法の手順を示す工程図である。
【図５】本発明のＡＬＣ建築物における外壁目地の別の補修方法の手順を示す工程図である。
【図６】図５に続く補修方法の手順を示す工程図である。
【図７】図６に続く補修方法の手順を示す工程図である。
【符号の説明】
【００１９】
１  ＡＬＣパネル
２ａ、２ｂ  シーリング材
３ａ、ａｂ  塗料
４  切削刃
５  面取刃
６  バックアップ材
７  タイヤ
９  切削装置本体
１０  切削工具
１１  目地溝
【図１】
2008095347.tif 000003
【図２】
2008095347.tif 000004
【図３】
2008095347.tif 000005
【図４】
2008095347.tif 000006
【図５】
2008095347.tif 000007
【図６】
2008095347.tif 000008
【図７】
2008095347.tif 000009